【事件の表示】
　特許第２８６９０４４号「指詰め対策用ドア」の請求項１ないし３に係る特許に対する特許異議の申立てについて、次のとおり決定する。
【結　論】
　訂正を認める。
　特許第２８６９０４４号の請求項１ないし３に係る特許を維持する。
【理　由】
１．手続の経緯
　本件特許第２８６９０４４号に係る出願は、平成８年８月３０日の出願であって、平成１０年１２月２５日に特許の設定登録がなされ、その後、ワイ ケイ ケイ アーキテクチュラル プロダクツ株式会社から特許異議の申立がなされ、取消理由通知が通知され、その指定期間内である平成１２年２月１５日に訂正請求がなされたものである。
　
２．訂正の要旨
　訂正事項ａ：特許請求の範囲の【請求項１】を、次のように訂正する。
「【請求項１】　扉の取り付けがそで型の丁番を用いて行われる開き戸型のドアにおいて、左右の扉枠には、扉の内側表面板と対向する垂直面の部分にパッキンが設けられており、このパッキンは、扉を閉めたときに、扉の内側表面板に押圧されてドアの気密性を保つものであり、前記そで型の丁番は、枢軸が太い上に２つの取り付けプレートが平行となる位置に回転されたときに、両方の取り付けプレートの間に少なくとも１０ｍｍ以上の隙間が形成されることで、扉の吊元側端面と扉枠、或いは取り付けプレート間に少なくとも１０ｍｍ以上の隙間が形成されており、扉枠は、左右縦枠のパッキン取り付け位置の表面部分で、扉の内側表面板との間に１０ｍｍ以上の隙間が設けられていることを特徴とする指詰め対策用ドア。」
　訂正事項ｂ：明細書の段落【０００４】の記載を、次のように訂正する。
「【０００４】
【課題を解決するための手段】
　本発明は、前記目的を達成すべくなされたもので、扉の取り付けがそで型の丁番を用いて行われる開き戸型のドアにおいて、左右の扉枠には、扉の内側表面板と対向する垂直面の部分にパッキンが設けられており、このパッキンは、扉を閉めたときに、扉の内側表面板に押圧されてドアの気密性を保つものであり、前記そで型の丁番は、枢軸が太い上に２つの取り付けプレートが平行となる位置に回転されたときに、両方の取り付けプレートの間に少なくとも１０ｍｍ以上の隙間が形成されることで、扉の吊元側端面と扉枠、或いは取り付けプレート間に少なくとも１０ｍｍ以上の隙間が形成されており、扉枠は左右縦枠のパッキン取り付け位置の表面部分で、扉の内側表面板との間に１０ｍｍ以上の隙間が設けられていることを特徴とする指詰め対策用ドアを発明したものである。本発明を扉枠が変形されたときにも扉を開き易くした耐震性ドアに適用したいときには、扉の戸先側端面はこれと対向する扉枠の端面との間に、少なくとも１０ｍｍ以上、好適には１３ｍｍの隙間が形成されている要件を先に記載の構成要件に付け加えるようにすればよい。」
　
３．訂正の適否
（１）訂正の目的の適否、新規事項の有無及び拡張・変更の存否
　上記訂正事項ａに係る訂正は、特許請求の範囲の減縮を目的とするものであり、しかもその訂正は、願書に添付した明細書又は図面に記載した事項の範囲内のものであり、さらに、実質上特許請求の範囲を拡張し、又は変更するものではない。
　また、訂正事項ｂに係る訂正は、訂正事項ａに関連してなされた明瞭でない記載の釈明に該当し、願書に添付した明細書又は図面に記載した事項の範囲内のものであり、さらに、実質上特許請求の範囲を拡張し、又は変更するものではない。
　
（２）独立特許要件の判断
　訂正明細書の請求項１ないし３に係る発明は、訂正明細書の特許請求の範囲の請求項１ないし３に記載されたとおりのものであり（以下、「訂正後発明１」、「訂正後発明２」及び「訂正後発明３」という。）、これに対して、当審が先に通知した取消理由で引用した、実願昭４６−９７７９４号（実開昭４８−５４４３５号）のマイクロフィルム（以下、「引用例１」という。）には、実用新案登録請求の範囲の「ドア取付け枠２のドア取付け面に、指が入るだけの縦方面の凹欠部２ｂを、その全長又は一部に設けたことを特徴とするドア取付け枠。」、第２頁第９行の「ドアの框１ａと枠２の張出部２ａとの間Ａ」、同第１２，１３行の「枠２の側面と框１ａの側面との間Ｂ」、第３頁第６，７行の「１はドア本体、２はドア取付け枠、３，３はドア取付け用蝶番、４はノブである。」、第３頁最下行から第４頁第３行の「Ａ部及びＢ部において指先を挟圧することがなく、従来往々にして起こった指の挟圧事故を好適に防止し得るものである。」の記載及び第１、２，４図を参照すると、「ドア本体が蝶番で取付けられる開き戸型のドアにおいて、ドア取付け枠の縦枠のドア取付け面に、指が入るだけの縦方面の凹欠部を設けることにより、ドア本体の框とこれに対向するドア取付け枠の張出部との間及びドア取付け枠の側面と框の側面との間に指が入るだけの隙間ができて指先を挟圧することがない指詰め対策用ドア」が記載されていると認められる。
　同、実願昭６０−９７７１６号（実開昭６２−７５７１号）のマイクロフィルム（以下、「引用例２」という。）には、実用新案登録請求の範囲の「１　ドアーの取り付け部のすき間を子供の指が入る程度の幅にして、そこに弾力性材料（１）を設置する。２　ちょうつがい（２）は、変形させたものを使用する。」の記載及び第１，２図を参照すると、「ドアーを取り付けるちょうつがいは、そで型で２つの取り付けプレートが平行となる位置に回転されたときに、両方の取り付けプレート間のすき間を子供の指が入る程度の幅にした指詰め対策用ドア」が記載されていると認められる。
　同、実願昭４９−１２５４５４号（実開昭５１−５０８３１号）のマイクロフィルム（以下、「引用例３」という。）には、実用新案登録請求の範囲の「扉体（１）の吊元側立框（１ａ）とこれに対向する枠体（２）の吊元側立枠（２ａ）との双方の戸当り面（１ａ′）（２ａ′）に、各々スポンジ状の緩衝部材（５）（６）を扉体閉鎖時に於いて相互に圧接し得るように附設したことを特徴とするドアー。」、第１頁第１４〜１６行の「枠体と扉体の吊元側戸当り面に子供が手や指を挟んでも傷害を受ける恐れのない安全なドアーを提供する」、第３頁最下行〜第４頁第４行の「枠体の全戸当り面に緩衝部材を附設してあるものは、扉体を開閉する場合の衝撃音が無く、然かも雨水の吹込みやオーバーフローを確実に防止し、且つ室内の気密性をも大幅に向上し得る」の記載及び第２，３図を参照すると、「枠体の戸当り面に、気密性を保つためのスポンジ状の緩衝部材が設けられており、枠体の吊元側立枠の緩衝部材取り付け位置の表面部分で、扉体のこれに対向する吊元側立框との間にすき間を設けた」点が記載されていると認められる。
　同、実願昭５８−６８７５９号（実開昭５９−１７３８９６号）のマイクロフィルム（以下、「引用例４」という。）には、実用新案登録請求の範囲の「周囲框（６）のうち少なくとも左右竪框（７）（７）には一体状に、軟質材からなる横断面袋状の指づめ防止部材（５）が、付設されたことを特徴とする指づめ防止扉。」、第３頁第５〜１０行の「扉（３）は一方の竪框（７）の見付面（７ａ）で蝶番（４）・・・の他方の取付板（４ｂ）にビス（１２）にて取り付けられると共に、閉状態において、指づめ防止部材（５）（５）の蝶番（４）・・・取付側と反対側外表面の先端部が左右竪枠（１）（１）の内側面（１ａ）（１ａ）に突出した戸当り片（１３）（１３）に当接すべく成されている。」、第８頁第１〜３行の「指づめ防止部材（５）で戸当りパッキンを兼用すれば、別に戸当りパッキンを取り付ける必要がなくなって経済的である。」の記載及び第１，２図を参照すると、「扉の左右竪框には、左右竪枠との間に、軟質材からなる横断面袋状の戸当りパッキン兼用指づめ防止部材を附設した指づめ防止扉」が記載されていると認められる。
　さらに、同、「松下電工　住設・建材　′９０総合カタログ　図面集」平成２年２月１日　ｐ．１２８（以下、「引用例５」という。）には、「左右縦枠のパッキン取り付け位置の表面部分とこれと対向する扉の表面板との間に１０ｍｍのすき間が形成されているドア」が記載されていると認められる。
　訂正後発明１と上記引用例１ないし５に記載された発明とを比較すると、引用例１には、扉の取り付けが丁番を用いて行われる開き戸型のドアにおいて、扉枠の縦枠のドア取付け面に、指が入るだけの縦方面の凹欠部を設けることにより、扉の框と扉枠の張出部との間及び扉枠と扉の吊元側端面との間に指が入るだけの隙間を形成した指詰め対策用ドアが記載されており、扉と扉枠の縦枠との間の指詰め対策用の隙間を扉の側面側及び扉表面側に形成したという点で訂正後発明１と共通しているが、刊行物１に記載されたドアは、左右の扉枠には、扉の内側表面板と対向する垂直面の部分に、扉を閉めたときに、扉の内側表面板に押圧されてドアの気密性を保つためのパッキンが設けられているドアではなく、また、扉表面側の隙間は扉の吊元側のみであるし、かつ、いずれの隙間の形成構成も異なっており、さらに、丁番はそで型で枢軸が太いとはいえず、その取り付けプレートが平行となることもない。
　一方、引用例２ないし４には、いずれも指詰め対策用ドアの発明が記載されているが、引用例３には、左右の扉枠には、扉の内側表面板と対向する垂直面の部分に、扉を閉めたときに、扉の内側表面板に押圧されてドアの気密性を保つためのパッキンが設けられている点が記載されているが、扉枠は、吊元側縦枠のパッキン取り付け位置の表面部分で、扉の内側表面板との間にしか隙間が設けられておらず、また、引用例２には、丁番がそで型で、一方の取り付けプレートを変形することによって２つの取り付けプレートが平行となる位置に回転されたときに両方の取り付けプレートの間に指詰め対策用隙間を形成する点しか記載されておらず、さらに、引用例４には、扉の左右側端面には、左右扉枠との間に、軟質材からなる横断面袋状の戸当りパッキン兼用指づめ防止部材付設した点しか記載されておらず、引用例５に記載された発明は、指詰め対策用ドアに関するものではないから、引用例１ないし５に記載された発明のいずれにも、「左右の扉枠には、扉の内側表面板と対向する垂直面の部分に、扉を閉めたときに、扉の内側表面板に押圧されてドアの気密性を保つためのパッキンが設けられており、扉の取り付けがそで型の丁番を用いて行われる開き戸型のドアにおいて、そで型の丁番は、枢軸が太い上に２つの取り付けプレートが平行となる位置に回転されたときに、両方の取り付けプレートの間に少なくとも１０ｍｍ以上の隙間が形成されることで、扉の吊元側端面と扉枠、或いは取り付けプレート間に少なくとも１０ｍｍ以上の隙間が形成されており、扉枠は、左右縦枠のパッキン取り付け位置の表面部分で、扉の内側表面板との間に１０ｍｍ以上の隙間が設けられていることにより、扉と扉枠の縦枠との間の指詰め対策用の隙間を扉の側面側及び扉表面側に形成した」という事項を備えておらず、また、示唆するところもなく、そして、訂正後発明１は、当該事項によって明細書記載の作用効果を奏するものであり、訂正後発明１が上記引用例１ないし５に記載された発明に基いて当業者が容易に発明をすることができたものとはいえない。
　次に、訂正後発明２及び３について検討すると、訂正後発明２及び３はいずれも、訂正後発明１をさらに限定したものであるから、上記訂正後発明１についての判断と同様の理由により、上記引用例１ないし５に記載された発明に基いて当業者が容易に発明をすることができたものとはいえない。
　また、他に訂正後発明１ないし３が独立して特許を受けることができない理由を発見しない。
　したがって、訂正後発明１ないし３は、特許出願の際、独立して特許を受けることができるものである。
　
（３）訂正の適否のむすび
　以上のとおりであるから、上記訂正は、特許法第１２０条の４第２項及び第３項において準用する特許法第１２６条第２〜４項の規定に適合するので、当該訂正を認める。
　
４．異議の申立てについての判断
（１）申立ての理由の概要
　申立人ワイ ケイ ケイ アーキテクチュラル プロダクツ株式会社は、証拠として甲第１ないし５号証を提出して、本件請求項１に係る特許発明は、甲第１号証及び甲第２号証に記載された発明に基づいて当業者が容易に発明をすることができたものであり、また、本件請求項２及び３に係る特許発明は、甲第１ないし４号証に記載された発明に基づいて、当業者が容易に発明をすることができたものであるから、特許法第２９条第２項の規定により特許を受けることができないものであり、本件の特許を取り消すべきであると主張している。
　
（２）判断
　上記甲第１ないし５号証刊行物は、取消理由に引用した引用例１ないし５と同じであるから、前記３．（２）独立特許要件の判断で示したように、本件訂正後発明１ないし３は、甲第１ないし５号証に記載された発明から当業者が容易に発明をすることができたものであるとはいえない。
　
５．むすび
　以上のとおりであるから、異議申立ての理由及び証拠によっては、本件請求項１ないし３に係る発明の特許を取り消すことはできない。
　また、他に本件請求項１ないし３に係る発明特許を取り消すべき理由を発見しない。
　よって、結論のとおり決定する。
【異議決定日】
平成１２年３月２９日（２０００．３．２９）
【訂正の要旨】
訂正の要旨
　特許請求の範囲の減縮を目的として下記（１）のとおり、また、明瞭でない記載の釈明を目的として下記（２）のとおり訂正する。
（１）特許請求の範囲の【請求項１】を、
「【請求項１】　扉の取り付けがそで型の丁番を用いて行われる開き戸型のドアにおいて、左右の扉枠には、扉の内側表面板と対向する垂直面の部分にパッキンが設けられており、このパッキンは、扉を閉めたときに、扉の内側表面板に押圧されてドアの気密性を保つものであり、前記そで型の丁番は、枢軸が太い上に２つの取り付けプレートが平行となる位置に回転されたときに、両方の取り付けプレートの間に少なくとも１０ｍｍ以上の隙間が形成されることで、扉の吊元側端面と扉枠、或いは取り付けプレート間に少なくとも１０ｍｍ以上の隙間が形成されており、扉枠は、左右縦枠のパッキン取り付け位置の表面部分で、扉の内側表面板との間に１０ｍｍ以上の隙間が設けられていることを特徴とする指詰め対策用ドア。」
（２）明細書の段落【０００４】の記載を、
「【０００４】
　【課題を解決するための手段】
　本発明は、前記目的を達成すべくなされたもので、扉の取り付けがそで型の丁番を用いて行われる開き戸型のドアにおいて、左右の扉枠には、扉の内側表面板と対向する垂直面の部分にパッキンが設けられており、このパッキンは、扉を閉めたときに、扉の内側表面板に押圧されてドアの気密性を保つものであり、前記そで型の丁番は、枢軸が太い上に２つの取り付けプレートが平行となる位置に回転されたときに、両方の取り付けプレートの間に少なくとも１０ｍｍ以上の隙間が形成されることで、扉の吊元側端面と扉枠、或いは取り付けプレート間に少なくとも１０ｍｍ以上の隙間が形成されており、扉枠は左右縦枠のパッキン取り付け位置の表面部分で、扉の内側表面板との間に１０ｍｍ以上の隙間が設けられていることを特徴とする指詰め対策用ドアを発明したものである。本発明を扉枠が変形されたときにも扉を開き易くした耐震性ドアに適用したいときには、扉の戸先側端面はこれと対向する扉枠の端面との間に、少なくとも１０ｍｍ以上、好適には１３ｍｍの隙間が形成されている要件を先に記載の構成要件に付け加えるようにすればよい。」
（５４）【発明の名称】
指詰め対策用ドア
（５７）【特許請求の範囲】
　【請求項１】　扉の取り付けがそで型の丁番を用いて行われる開き戸型のドアにおいて、
　
左右の扉枠には、扉の内側表面板と対向する垂直面の部分にパッキンが設けられており、
　
このパッキンは、扉を閉めたときに、扉の内側表面板に押圧されてドアの気密性を保つものであり、
　前記そで型の丁番は、枢軸が太い上に２つの取り付けプレートが平行となる位置に回転されたときに、両方の取り付けプレートの間に少なくとも１０ｍｍ以上の隙間が形成され
ることで、扉の吊元側端面と扉枠、或いは取り付けプレート間に少なくとも１０ｍｍ以上の隙間が形成されており、
　扉枠は、左右縦枠のパッキン取り付け位置の表面部分で、扉の内側表面板との間に１０ｍｍ以上の隙間が設けられていることを特徴とする指詰め対策用ドア。
　【請求項２】　扉の戸先側端面は、これと対向する扉枠の端面との間に、少なくとも１０ｍｍ以上の隙間が形成されている請求項１に記載の指詰め対策用ドア。
　【請求項３】　扉の戸先側端面は、これと対向する扉枠の端面との間に、１３ｍｍの隙間が形成されている請求項１に記載の指詰め対策用ドア。
【発明の詳細な説明】
　【０００１】
　【発明の属する技術分野】
　本発明は、扉が閉まるときに扉枠と扉との間に指が挟まれた場合にもトラブルの発生が少なくなるようにした指詰め対策用ドアに関する。
　【０００２】
　【従来の技術】
　従来のドアでは、扉ａは吊元側の端面を２個以上のそで型の旗丁番ｂによって端面と対向する扉枠ｃの縦枠面に取り付けられている（図７参照）。
　この場合、取り付けに使用されている旗丁番ｂは、２つの取り付けプレートｄ，ｄが一直線となる位置に回転したとき、両者は密着して隙間が形成されない構成となっている上に、扉ａの室内側表面板ｅと気密パッキンｆが嵌め込まれているパッキン溝ｇの上端との間には３ｍｍ程度の隙間が形成され、また、扉ａの戸先側端面とこれに対向する扉枠ｃの端面との間の隙間も、３〜４ｍｍ程度の寸法に設定されていた。
　【０００３】
　【発明が解決しようとする課題】
　しかしながら、従来のドアの構成では、開かれていた扉ａが風のいたずらや不注意によって急に閉じられるとき、扉ａの吊元側や戸先側の端面とこれに対向する左右縦枠Ｃ１，Ｃ２との間や、扉ａの室内側表面板ｅとこれに対向する側の左右縦枠Ｃ１，Ｃ２との間に残されていた手指や足などが、扉ａと縦枠Ｃ１，Ｃ２の金属同志の間に挟まれて強い圧迫作用を受けるため、挟まれるのが手指などの場合には、骨折や切断に近い大怪我などをするといったトラブルが発生していた。しかも、国民生活センターが行ったこれらトラブルの分析結果によると、トラブル発生件数の４０％強が１歳から５歳までの幼児で占められていることが判明している。
　このため、幼い子供を持つ親だけでなく、マンションその他の住宅で生活している入居者からも、トラブルの発生を防止し得る安全性の高い構成のドアの提供が強く求められていた。
　本発明はこれらの事情に鑑みてなされたもので、扉を閉めたときに扉枠と扉との間に手指などが挟まれて骨折しないようにするとともに、たとえ手指などが挟まれた場合にも、受ける損傷をきわめて軽くすることができる指詰め対策用ドアの提供を目的としたものである。
　【０００４】
　【課題を解決するための手段】
　本発明は、前記目的を達成すべくなされたもので、扉の取り付けがそで型の丁番を用いて行われる開き戸型のドアにおいて、
左右の扉枠には、扉の内側表面板と対向する垂直面の部分にパッキンが設けられており、このパッキンは、扉を閉めたときに、扉の内側表面板に押圧されてドアの気密性を保つものであり、
ることで、扉の吊元側端面と扉枠、或いは取り付けプレート間に少なくとも１０ｍｍ以上の隙間が形成されており、
　本発明を扉枠が変形されたときにも扉を開き易くした耐震性ドアに適用したいときには、扉の戸先側端面はこれと対向する扉枠の端面との間に、少なくとも１０ｍｍ以上、好適には１３ｍｍの隙間が形成されている要件を先に記載の構成要件に付け加えるようにすればよい。
　【０００５】
　【発明の実施の形態】
　以下、本発明に係る実施例を図面に基づいて説明する。
　図１ないし図５は、本発明の一実施例を示したものである。
　ドアの横断面図を示す図１において、１は戸先側端面にラッチ４とデッドボルト５とを備えた扉で、該扉１は吊元側端面をそで型の丁番２によって扉枠３に開閉可能に取り付けられている。
　この丁番２は、図２に示すように、従来の旗丁番ｂに比べて枢軸２ａが太く、枢軸２ａの上下に巻き付けられる２つの取り付けプレート２ｂ，２ｂは、平行になる位置まで回転されたときに、両者の間に少なくともＬ１＝１０ｍｍ以上の隙間が形成される構成となっている。
　このＬ１が１０ｍｍより大という隙間寸法は、幼い子供の指先部分が奥まった丁番２の２つの取り付けプレート２ｂ，２ｂの間に挟まれたときにも、指先部分が、扉の吊元側端面と扉枠、或いは金属製の取り付けプレート２ｂ，２ｂによって強い圧迫を受けないように決められたものである。
　【０００６】
　６は扉１の戸先側端面と対向する縦枠３ａの垂直面に取り付けられた錠受け金で、該錠受け金６の扉１の端面と対向する上面には、扉１の端面から突出するラッチ４やデッドボルト５の挿入を許す係合長穴６ａが設けられている。
　錠受け金６は、ほぼ一定幅のステンレス製の金属プレートを用いて扉１に近い上面側の長さが短くなるよう台形状に折り曲げられた形状に作られている。
　しかも、台形状の錠受け金６は、底辺側の両端部分をそれぞれ外向きに折り曲げられて取り付け面６ｂが形成されており、該取り付け面６ｂに設けられた長穴６ｃの部分をねじ７により縦枠３ａに保持されている。
　この構成の場合、扉枠３が地震その他の外力などによって変形し扉１に押し付けられると、台形状の錠受け金６の取り付け面６ｂ，６ｂがそれぞれの長穴６ｃに沿って上下方向に摺動しつつ、上面部分が扉枠３の垂直面に近づく方向に押しつぶされる。このため、扉１は扉枠３の縦枠３ａに直接大きな力で押圧されて変形されることがなくなるので、地震などの外力が働いたときにも、扉１の開閉を割合容易に行うことができる。
　【０００７】
　この構成の場合、戸先側の縦枠３ａの垂直面とこれに対向する扉１の化粧板８との間に、少なくとも１３ｍｍという隙間寸法Ｌ２が形成されている。
　この隙間寸法Ｌ２は、日常生活において戸先側で指詰めが起こった場合にも、指先部分が金属同志によって強い圧迫を受けないようにするとともに、地震などによって外力を受けたときにも、扉１を開け易くすることを考慮して決められている。
　９は扉１の吊元側の力骨１１と戸先側の力骨１２に固定された外側表面板で、扉１の室内側には、内側表面板１０が固定されている。
　外側表面板９と内側表面板１０は、吊元側のコの字形の力骨１１から突出した各先端部に曲面状に折り返される係止ふくらみ部９ａ，１０ａが形成されており、前記丁番２はこれらの係止ふくらみ部９ａ，１０ａの間に嵌合されるコの字形の化粧板１３と吊元側の縦枠３ａとの間に複数個取り付けられている。
　【０００８】
　戸先側の力骨１２は、コの字の平行をなす一辺が反対側に折り曲げられたＺ形をしており、この反対側の折り曲げ片は外側表面板９に覆われて扉１の戸先側とこれに対向する縦枠３ａとの隙間部分を外側から見えないようにし、施錠されたドアの防犯性能を高めている。
　左右の縦枠３ａ，３ａは、内側表面板１０と対向する垂直面の部分にパッキン溝３ｂ，３ｂが形成されている。該パッキン溝３ｂ，３ｂには、パッキン１４，１４が嵌合されており、その底面部分は接着剤によりパッキン溝３ｂ，３ｂの溝底に接着されている。
　パッキン１４，１４の上端側は、パッキン溝３ｂ，３ｂから設定された寸法（後述のＬ３より少し大き目）だけ突出されており、扉１を閉めたときに内側表面板１０に押圧されてドアの気密性を保っている。
　【０００９】
　扉枠３は左右縦枠３ａ，３ａのパッキン取り付け位置の表面部分で、パッキン溝３ｂ，３ｂの上端面と扉１の内側表面板１０との間に１０ｍｍ以上の隙間Ｌ３が形成されている。
　このＬ３の隙間寸法は、指先を挟む一方が弾性変形をし易いパッキン部材であること、指先を挟む金属同志の間隔が手指に大怪我を与えないことを考慮して決められる。
　図３は、上記構成のドアにおいて、丁番２が取り付けられている側の端面部分に指先が挟まれた状態を示す横断面図である。
　この場合、丁番２の２つの取り付けプレート２ｂ，２ｂの間に指先が挟まれた一番きびしい条件のもとでも、指先を圧迫する取り付けプレート２ｂ，２ｂの間にＬ１＝１２ｍｍ以上の隙間があり、しかも指先の一方はパッキン溝３ｂから１０ｍｍ以上突出するパッキン１４に押圧される。また、丁番２が取り付けられていない部分で指詰めが起こった場合には、吊元側の縦枠３ａとこれに対向する扉１の端面との間の隙間は、前記Ｌ１より取り付けプレート２ｂの厚さの２倍だけ大きくなるから、丁番２側の端面で挟まれたいずれの場合でも、指先の受ける怪我の程度は著しく軽くなる。
　【００１０】
　図４は、扉１の戸先側端面部分で指詰めが発生した状態を示す横断面図である。この場合、戸先側の縦枠３ａと扉１の端面との間にＬ２＝１３ｍｍの隙間があり、この値は吊元側の隙間Ｌ１＝１２ｍｍと同程度である上、パッキン溝３ｂから１０ｍｍ以上突出するパッキン１４もあるため、戸先側の端面部分で指先が挟まれるトラブルが発生しても、骨折や切断に近い大怪我などを受けにくくなることは、丁番側の端面における指詰めについて説明した場合と同じである。
　図５は、内側表面板１０と縦枠３ａとの間に指先が挟まれた状態を示す横断面図である。この場合、指先を挟む一方は弾性変形し易いパッキン１４である上に、内側表面板１０と縦枠３ａとの間にＬ３＝１０ｍｍの隙間があるため、３〜４ｍｍ程度の隙間を介して金属同志によって強く圧迫される従来の場合に比べて、指先の受ける怪我の程度は著しく軽くなる。
　しかも、この部分で指詰めが起ころうとするとき、反射的に指を引っ込めようとする瞬間的な動作と、パッキン１４の弾性変形とによって指先の挟まれる回数をも少なくすることができる。
　【００１１】
　図６は、本発明の他の実施例を示したもので、パッキン１４Ａ，１４Ａを左右の縦枠３Ａ，３Ａの直交する２つの垂直面３Ｂ，３Ｃに接着剤で接着し、内側表面板１０Ａとこれに平行な垂直面３Ｂとの間にＬ４＝１０ｍｍ以上の隙間を形成した場合である。この実施例の場合、指詰め対策が施されている他、前記実施例の場合より安価に提供できる利点がある。
　【００１２】
　【発明の効果】
　本発明によれば、次に記載するすぐれた効果が得られる。
　請求項１に記載の指詰め対策用ドアにおいては、扉は平行な２つの取り付けプレートの間に少なくとも１０ｍｍ以上の隙間が形成されている丁番を用いて扉枠に取り付けられているため、扉の吊元側の端面において指詰めが発生したときには、手指などを圧迫する金属同志が１０ｍｍ以下に近づくのを確実に防止し、パッキンの大きな弾性変形作用の助けも加わって、手指などに骨折や切断に近い大怪我などをさせないようにするとともに、従来の場合に比べてその他の怪我の程度をも、著しく軽くすることができる。
　また、扉の内側表面板とこれに対向する縦枠との間に１０ｍｍ以上の隙間が設けられているため、この部分で指詰めが発生したときには、手指などを圧迫する金属同志が１０ｍｍ以下に近づくのを防止して、手指などが受ける怪我の程度を従来の場合に比べて著しく軽くすることができる。
　【００１３】
　請求項２に記載の指詰め対策用ドアにおいては、扉の戸先側端面はこれと対向する扉枠の端面との間に、少なくとも１０ｍｍ以上の隙間が形成されているため、扉の戸先側の端面において指詰めが発生したときには、扉と扉枠の戸先側の端面同志が１０ｍｍ以下に近づくのを防止するだけでなく、パッキンの大きな弾性変形の助けも加わって、手指などが受ける怪我の程度を従来の場合に比べて軽くすることができる。
　請求項３に記載のように、扉の戸先側端面と扉枠との間に１３ｍｍの隙間を形成すれば、扉枠が地震などの外力を受けて変形されたときにも、ラッチやデッドボルトの係合解除を容易にして扉を開き易くすることができる。
【図面の簡単な説明】
　【図１】
　本発明の一実施例を示す横断面図である。
　【図２】
　丁番の一実施例を示す正面図である。
　【図３】
　扉の吊元側端面部分において指先の挟まれた状態の一例を示す横断面図である。
　【図４】
　扉の戸先側端面部分において指先の挟まれた状態の一例を示す横断面図である。
　【図５】
　縦枠と吊元側の内側表面板との間に指先が挟まれた状態の一例を示す横断面図である。
　【図６】
　本発明の他の実施例を示す横断面図である。
　【図７】
　従来例の横断面図である。
　【符号の説明】
　１　　　扉
　２　　　丁番
　２ａ　　枢軸
　２ｂ　　取り付けプレート
　３　　　扉枠
　３ａ　　縦枠
　３ｂ　　パッキン溝
　１０　　内側表面板
　１４　　パッキン
　３Ａ　　縦枠
　１０Ａ　内側表面板
　１４Ａ　パッキン
　Ｌ１　　丁番の２つの取り付けプレートの平行な位置における隙間
　Ｌ２　　戸先側の縦枠と扉の端面との間の隙間
　Ｌ３　　扉の内側表面板と縦枠との間の隙間